(57)【要約】【課題】光ネットワークシステムを構成する複数の光パスに対して、簡易で、信頼性の高い正常性検査の実施が可能な技術を提供する。【解決手段】光ネットワークシステムとして、複数のノードと、複数のノードの制御管理を行う制御装置を有し、制御装置は、複数のノードに対し光パスの正常性検査を実行させる指令である検査通知を発行する制御部と、正常性検査の結果を記憶する記憶部とを備え、各ノードは、光パスの正常性検査を互いに独立して実行するリンク情報検査部を有する複数の光送受信器とから構成する。【選択図】図２
2015050624.tif 000002
【特許請求の範囲】
【請求項１】
複数のノードと、該複数のノードの制御管理を行う制御装置を有し、
前記制御装置は、
前記複数のノードに対し光パスの正常性検査を実行させる指令である検査通知を発行する制御部と、
前記正常性検査の結果を記憶する記憶部と、を備え、
前記各ノードは、
光パスの正常性検査を互いに独立して実行するリンク情報検査部を有する複数の光送受信器を含む、
ことを特徴とする光ネットワークシステム。
【請求項２】
前記複数のノードは、送信側ノード及び受信側ノードを含み、前記送信側ノード及び前記受信側ノードとの間に光パスの経路が設定される場合、前記制御装置の前記記憶部は、光パスによって結合された互いに隣接した前記ノード間における前記正常性の検査結果を記憶している、
ことを特徴とする請求項１記載の光ネットワークシステム。
【請求項３】
前記制御装置の前記制御部は、前記隣接した前記ノード間における前記正常性の検査結果に基づいて、前記複数のノード間に設定された前記光パスの全体の経路の正常性を判定する、
ことを特徴とする請求項２に記載の光ネットワークシステム。
【請求項４】
前記制御装置の前記制御部は、前記複数のノード間に設定された光パスのネットワークトポロジーを判定する、
ことを特徴とする請求項１〜３のいずれか一項に記載の光ネットワークシステム。
【請求項５】
前記制御装置の前記制御部は、他の前記制御装置が備える前記制御部に対して、前記検査通知を発行させる指令を発行する機能を有する、
ことを特徴とする請求項１〜４のいずれか一項に記載の光ネットワークシステム。
【請求項６】
前記各ノードの前記リンク情報検査部は、前記互いに光パスによって結合された互いに隣接した前記ノード間における光パワーレベル、送受信フレーム数、及び送受信パケット情報を含むパラメータを測定する、
ことを特徴とする請求項１〜５のいずれかに一項に記載の光ネットワークシステム。
【請求項７】
光パスに対応して設けられた複数の光送受信器を備え、
前記各光送受信器は、前記光パスの正常性検査を独立して実行するリンク情報検査部を有している、
ことを特徴とするノード。
【請求項８】
更に、前記複数の光送受信器に対する光パスのＤｒｏｐルート及びＡｄｄルートを収容した光クロスコネクト装置を有し、前記各光送受信器の前記リンク情報検査部は、前記光クロスコネクト装置を介して、前記光パスの正常性検査を行なう、
ことを特徴とする請求項７に記載のノード。
【請求項９】
光パスによって接続された複数のノードを備えた光ネットワークを制御する制御装置であって、
前記複数のノードに対し光パスの正常性検査を実行させる指令である検査通知を前記各ノードに発行するコントローラ部と、
前記正常性検査の結果を前記光パス毎に記憶する記憶部と、
を有する、
ことを特徴とする制御装置。
【請求項１０】
複数の光パスによって構成される光ネットワークに用いられ、各光パス両端のノードに、光パスの正常性検査を実行させる指令を通知し、
前記各ノードにおいて、前記光パスの正常性検査を独立して実行するリンク情報検査する、
ことを特徴とするリンクの正常性検査方法。
【発明の詳細な説明】
【技術分野】
【０００１】
この発明は、光ネットワークシステム、光ネットワークシステムに用いられるノード及び制御装置に関し、更に、光パスによって構成されるリンクを検査する方法に関する。
【背景技術】
【０００２】
光ネットワークシステムにおいて、情報の通信は光伝送装置（即ち、ノード：node）を通して行われている。ノードは、通信の始点、終点に用いられるだけでなく、始点と終点との間に位置する中継地にも配置される。したがって、ノードを利用する通信は、ノード間をリンクする光パスの正常性を把握することが重要である。このため、光ネットワークシステムにおいて、情報の伝達を円滑に行うためには、光ネットワークシステムは高い可用性（即ち、有用性：availability）を持つことが求められる。
【０００３】
光ネットワークシステムの有用性を高める手法として、光ネットワークにおいて通常時に使用する経路（以下、「運用系光ネットワーク」と呼ぶ）を設定する一方で、運用系光ネットワークが利用できない場合に使用する経路（以下、「予備系光ネットワーク」とよぶ）を複数設定する手法が知られている。
【０００４】
また、ノードは、通常時に使用する光送受信器（以下、「運用系光送受信器」と呼ぶ）の他に、運用系光送受信器が利用できない場合に使用する光送受信器（以下、「予備系光送受信器」と呼ぶ）を備えている。このように、ノードに、運用系光送受信器及び予備系光送受信器を設けることによって、光ネットワークシステムの有用性は高くなる。
【０００５】
光ネットワークシステムの有用性を更に高めるためには、利用する光ネットワークのノードに設けられた光送受信器の動作確認を行うことが重要である。特に、予備系光ネットワークや光送受信器は、運用系光ネットワークや光送受信器に障害が発生した場合の予備として使用されるため、常に動作状態の把握をしておくことが必要である。
【０００６】
光ネットワークにおける光パスの正常性を確認する方法が特許文献１に記載されている。具体的に説明すると、特許文献１は、光パス起動のノードからパス終端のノードまでの各ノードにおいて光スイッチのパス設定を行なっている。光パス設定後、パス起動ノードから監視光信号を形成された光パスに伝搬させ、パス終端ノードで光パスの正常/障害発生を判断することによって、光パスの正常性確認が行われている。
【０００７】
一方、特許文献２は、ネットワークマネジメントシステム（ＮＭＳ）等から効率的にパス情報を収集できるネットワークを開示している。具体的に言えば、特許文献２は、ネットワーク上に設定されたパスの情報を保持するパス情報管理表及びリンク情報を保持するリンク情報管理表を各ノードに設けた構成を開示している。更に、各ノードは、パス設定時にイニシエータノードからターミネータノードへの経路を計算する経路計算処理部を備えている。
【０００８】
特許文献２では、パス設定要求があった場合、ノードに設けられた経路計算処理部は、リンク情報管理表のリンク情報を用いて終点ノードまでの経路を検索している。また、全てのノードは、各ノードのリンク情報管理表に格納されたリンク情報を共有している。この構成では、ＮＭＳによってパス情報を効率的に収集できる。
【先行技術文献】
【特許文献】
【０００９】
【特許文献１】特開２００３−２５８７４６号公報
【特許文献２】特開２００６−６０３３７号公報
【発明の概要】
【発明が解決しようとする課題】
【００１０】
複数のノードで構成される光ネットワークにおいては、ノードによる通信を円滑に行うために、光ネットワーク全体の正常性検査を簡易に行えることが重要である。
【００１１】
しかしながら、特許文献１に記載されている技術は、運用系ネットワークの光パスに対して、予備系光ネットワークの光パスが複数設定されている場合など、重複して測定される光パスも出てくるため無駄が生じていた。また、特許文献１の方法では、パス起動ノードから監視光信号を形成された光パスに伝搬させ、パス終端ノードで光パスの正常/障害発生を検出しているため、光パスの変更等に柔軟に対処できない。
【００１２】
特許文献２に記載されている技術は、各ノードにパス情報管理表、リンク情報管理表等を格納する記憶部を取り付ける必要や、リンク情報を共有するための処理が必要である。したがって、特許文献２に示された経路探索方法は、簡易な探索方法であるとは言えない。
【００１３】
上記特許文献１、及び２の事柄を考慮した、より良い光ネットワークシステムの登場が望まれる。
【００１４】
したがって、本発明は、上記した課題の少なくとも一つを解決できる光ネットワークシステム、ノード、制御装置、及び検査方法を得ることを企図している。具体的には、本発明は、光パスの正常性検査を簡易に行い、さらに、光パスの正常性検査の結果から光ネットワーク全体の正常性判定する光ネットワークシステムの提供を目的とする。
【課題を解決するための手段】
【００１５】
本発明の光ネットワークシステムは、複数のノードと、該複数のノードの制御管理を行う制御装置を有し、上記制御装置は、上記複数のノードに対し光パスの正常性検査を実行させる指令である検査通知を発行する制御部と、上記正常性検査の結果を記憶する記憶部と、を備え、上記各ノードは、光パスの正常性検査を互いに独立して実行するリンク情報検査部を有する複数の光送受信器を含む、
ことを特徴とする。
【発明の効果】
【００１６】
本発明によれば、光パスの正常性検査を簡易に行え、さらに、光パスの正常性検査の結果から光ネットワーク全体の正常性を包括的に判定するネットワークシステム、これに用いられるノード、制御装置を提供できる。
【図面の簡単な説明】
【００１７】
【図１】本発明に係るノードの一例を示す図である。
【図２】本発明の第１〜第３の実施形態に係る光ネットワークシステムのブロック図である。
【図３】本発明の第１の実施形態に係る光ネットワークシステムのフローチャートである。
【図４】本発明に係る光パスの正常性の結果の一例を示す表である。
【図５】本発明の第１の実施形態に係る光ネットワークシステムの具体的な処理を示したチャートである。
【図６】本発明の第２の実施形態に係る光ネットワークシステムのフローチャートである。
【図７】本発明の第２の実施形態に係る光ネットワークシステムの具体的な処理を示したチャートである。
【図８】本発明の第３の実施形態に係る光ネットワークシステムのフローチャートである。
【図９】本発明の第３の実施形態に係る光ネットワークシステムの具体的な処理を示したチャートである。
【図１０】本発明の第４の実施形態に係る光ネットワークシステムのブロック図である。
【図１１】本発明の第４の実施形態に係る光ネットワークシステムのフローチャートである。
【図１２】本発明の第４の実施形態に係る光ネットワークシステムの具体的な処理を示したチャートである。
【発明を実施するための形態】
【００１８】
本発明を実施するための形態について、図面を参照して詳細に説明する。
【００１９】
［１．ノード］
図１は、本発明の一実施形態に係る光ネットワークで使用するノード１０の実施例を示す概略図である。図１を参照すると、ノード１０は、光クロスコネクト装置２０と、光送受信装置３０とを備えている。光送受信装置３０は、光送受信器４０と、待機系光送受信器５０と、を備えている。図１では、簡単のために光送受信器４０と待機系光送受信器５０は１台のみ図示しているが、光送受信装置３０は、光パスに対応して複数の光送受信器４０と待機系光送受信器５０を備えている。
【００２０】
図示された光送受信器４０は、光送受信部４１と、リンク情報検査部４２と、を備えている。同様に、待機系光送受信器５０は、待機系光送受信部５１と、待機系リンク情報検査部５２と、を備えている。ここで、光送受信器４０は通常の光通信時に使用する光送受信器であり、待機系光送受信器５０は非常時に使用される光送受信器である。光パスと光送受信器４０、または待機系光送受信器５０との接続は、光クロスコネクト装置２０によって切り替え可能である。
【００２１】
光送受信器４０が備える光送受信部４１は、隣接するノード間に設定された光パスからの受信信号２１を、光クロスコネクト装置２０を介して受信する一方、光クロスコネクト装置を介して光パス上に送信信号２２を送信する。リンク情報検査部４２は、隣接するノード間に設定された光パスの正常性を検査する機能を有する。ここで、光送受信器４０は、受信信号２１の信号を増幅する信号増幅部を有していてもよいし、受信信号２１を送信先の光パスに応じた最適なフォーマットに変換する変換部を有していてもよい。
【００２２】
リンク情報検査部４２は、正常性検査において、光パワーレベル、送受信フレーム数、送受信パケット数などを含むパラメータを測定する。しかしながら、正常性検査はこれらのパラメータに限定するわけではなく、他のパラメータを正常性検査に利用してもよい。また、正常性検査は、光ネットワークシステムを構成する各ノード間の光パスに対して使用可能な領域の波長を持つ光信号で行う。つまり、正常性検査は、各ノード間の光パスにおいて同じ波長の光信号で行う。
【００２３】
ここで、光送受信器４０に障害が発生した場合、ノード間の光パスの正常性検査を、正確に行えない問題が発生する。したがって、光ネットワークシステムの有用性を高めるためには、光パスの正常性検査を行う前に、予め光送受信器４０の動作確認を行い、光送受信器４０の正常性を確認することが重要である。以下、各ノードが備える光送受信器４０の動作確認の方法について説明する。
【００２４】
光送受信器４０は、自身の光パワーレベル、送受信フレーム数、送受信パケット数などを含むパラメータを、光ネットワークシステムの正常性検査の前に測定することで動作確認を行う。ここで、動作確認において測定するパラメータは上記パラメータに限定されず、検査可能な他のパラメータを動作確認のパラメータとして利用してもよい。光送受信器４０の動作確認は、リンク情報検査部４２からの出力信号を、例えばループバックパスのように光クロスコネクト装置を介して光送受信部４１に受信させ、光信号を導通させることで行う。光送受信装置３０は、動作確認において正常に動作すると判定した光送受信器４０を、光送受信装置３０が備える複数の光送受信器４０の中から選択的に使用する。光パスと複数の光送受信器４０の接続は光クロスコネクト装置２０によって切り替え可能である。したがって、上記の構成において光送受信装置３０は、動作確認で正常と判定されている光送受信器４０を常に使用することができるため、光ネットワークシステムの有用性を高めることが可能となる。ここで、光送受信器の動作確認の方法は、上記の方法に限定されるわけではない。この方法に限らず他の様々な方法を用いて動作確認を実行してもよい。
【００２５】
［２．第１の実施形態］
図２は、本発明の第１〜３の実施形態に係る光ネットワークシステムの一例を示すブロック図であり、各実施形態では、図１に示されたノード１０が使用されるものとして説明する。図２を参照すると、第１〜３の実施形態に係る光ネットワークシステムは、いずれも、ノード１００〜ノード１０５と、制御装置２００と、を含んでいる。第１〜３の実施形態に係る光ネットワークシステムでは、説明を簡略化するために、通信の始点がノード１００であり、終点がノード１０５であるとする。始点から終点の間に位置付けられ、光信号を中継するノード１０１〜ノード１０４に関しては、中継する光信号をそのまま次のノードへ送信してもよいし、中継の状況に応じて光信号を一旦電気信号に変換してもよい。
【００２６】
また、図２において、ノード間の太線で示している経路（光パス）は、通常時に使用される運用系光ネットワーク１１０である。また、ノード間の破線で示している経路（光パス）は、運用系光ネットワーク１１０が使用できない場合に使用される予備系光ネットワーク１２０である。このことからも明らかな通り、第１〜３の実施形態に係る光ネットワークシステムは、６台のノードと、９本の光パスを含んでいる。しかしながら、この光ネットワークシステムの構成は本発明における一例であり、ネットワーク構造、ノード数、光パスの数を限定するものではない。
【００２７】
ノード１００〜ノード１０５は、図１で示した構成を備えていることは前述した通りである。制御装置２００は、制御部２１０と記憶部２２０とを備えている。制御部２１０は、光ネットワークシステムを構成するノードの制御管理を行う。例えば、制御部２１０は、ノードに光パスの正常性検査を実行させる指令である検査通知を発行する機能を有する。
【００２８】
図３は、第１の実施形態の光ネットワークシステムに係る正常性検査の方法の一例を示すフローチャートである。図４は、記憶部２２０における記憶内容を示している。また、図５は、図３におけるＳ１００〜Ｓ１０４が実行する具体的な処理を示したチャートである。以下、図２〜図５を適宜参照しながら、第１の実施形態に係る光ネットワークシステムの正常性検査の方法について説明する。ここでは、ノード１００、１０３、１０４、及び１０５を光パスによって接続（リンク）した運用系光ネットワーク１１０、及びノード１００、１０１、１０２、及び１０５を接続した予備系光ネットワーク１２０は予め設定されているものとする。
【００２９】
先ず、本発明に係るリンク正常性検査を行う場合、制御装置２００の制御部２１０は、正常性検査を実行する指令である検査通知を破線で示した経路でノード１００〜ノード１０５に発行する（図３：ステップＳ１００）。
【００３０】
ノード１００〜ノード１０５は、検査通知を受信すると光パスで結合された隣接するノード間の光パスの正常性検査を実行する（図３：ステップＳ１０１）。具体的に言うと、ノード１００について言えば、ノード１００は、ノード１００とノード１０１間、及び、ノード１００とノード１０３間のリンクの正常性検査を実行する。ノード１００とノード１０１間について説明すると、正常性検査は、ノード１００が備える待機系光送受信器５０と、ノード１０１が備える光送受信器４０を接続し光信号を導通させることで行う。ここで、光クロスコネクト装置２０が、正常性検査時の光送受信器４０と待機系光送受信器５０の切り替えを行う。図５を参照すると、ノード１００〜ノード１０５の各ノードが、隣接するノードに対して同じ処理を独立に実行している。そして、各ノードが備える光送受信部４１は、正常性検査の検査結果を制御装置２００の制御部２１０に送信する（図３：ステップＳ１０２）。
【００３１】
制御部２１０は、正常性検査の結果を受信すると、運用系光ネットワーク、予備系光ネットワークに関わらず全ての正常性検査の結果を記憶部２２０に格納する（図３：ステップＳ１０３）。ここで、正常性検査の結果は、例えば図４の形式でノード間のパス経路（リンク）毎に格納される。制御部２１０は、図４において隣接するノード間の経路（リンク）と、その経路の正常性の判定結果を「ＯＫ」または「ＮＧ」で判定している。（図３：ステップＳ１０４）。
【００３２】
隣接する各ノード間の正常性検査の判定結果が「ＯＫ」の場合（図３：ステップＳ１０５において「ＹＥＳ」と判定）、制御部２１０は運用系光ネットワーク１１０の運用を開始する。さらに、制御部２１０は予備系光ネットワーク１２０を設定する（図３：ステップＳ１０６）。この場合、制御部２１０は隣接するノード間の光パスに対して実行した正常性検査の結果から、光ネットワークの運用系、及び予備系光ネットワークの設定を行った。つまり、制御部２１０は、隣接するノード間の光パスの正常性を確認することで、光ネットワークシステム全体の光パスの正常性を判定することが可能である。このため、光パスにファイバ切断等の異常が発生すると、当該光パスを迂回した光パスを図４から簡単に検出できる。
【００３３】
次に、光パスの正常性検査の判定結果が、「ＮＧ」の場合（ステップＳ１０５において「ＮＯ」と判定）を説明する。
【００３４】
制御部２１０の判定の結果が「ＮＧ」となる一例として、ノード１０１とノード１０２間に障害が発生した場合について説明する。この場合、図２を参照して説明した予備系光ネットワーク１２０が構成されるものとする。具体的に説明すると、制御部２１０は、障害の発生したノード１０１とノード１０２間を通過しない条件の最適な光パスを新たに算出する（図３：ステップＳ１０７）。例えば、制御部２１０は、記憶部２２０に格納している正常性検査の結果に基づいてノード１０１とノード１０４間、ノード１０４とノード１０２間の光パスを利用して新しい予備系ネットワークを設定する（図３：ステップＳ１０８）。
【００３５】
［３．第２の実施形態］
図６は、本発明の第２の実施形態の光ネットワークシステムに係る正常性検査の方法の一例を示すフローチャートである。また、図７は、図６におけるステップＳ２００〜Ｓ２０７が実行する具体的な処理を示すチャートである。第２の実施形態に係る光ネットワークシステムの構成は、第１の実施形態と同じである。したがって、以下では、図２、図６、及び図７を適宜参照しながら、第２の実施形態の光ネットワークに係る正常性検査の方法を説明する。また、運用系光ネットワーク１１０、及び予備系光ネットワーク１２０は予め設定されているものとする。
【００３６】
第２の実施形態に係る光ネットワークシステムは、１：１光プロテクション方式を利用している光ネットワークシステムであり、このシステムでは、予備系光ネットワーク１２０に光信号が伝達されない。以下で、１：１プロテクション方式を利用している予備系光ネットワーク１２０の正常性検査の方法を説明する。この確認方法は、光ネットワークにおいて、１：１プロテクション方式を利用した場合のユースケースとなる。
【００３７】
先ず、制御部２１０は、図２に破線で示された予備系光ネットワーク１２０を構成するノード１００、ノード１０１、ノード１０２、及びノード１０５に正常性検査を実行する指令である検査通知を発行する（図６：ステップＳ２００）。各ノードは、検査通知を受信すると光パスで結合された隣接するノード間の光パスの正常性検査を実行する（図６：ステップＳ２０１）。図７を参照すると、各ノード１００、１０１、１０２、及び１０５が隣接するノード間の光パスにおける正常性検査を独立に実行している。正常性検査の方法は、第１の実施形態と同じであるのでここでは説明を省略する。
【００３８】
次に、各ノードの光送受信部４１は、正常性検査の結果、即ち、取得データを制御装置２００が備える制御部２１０に送信する（図６：ステップＳ２０２）。制御部２１０は、正常性検査の結果に基づいて隣接する各ノード間に障害が発生していないかを判定をする（図６：ステップＳ２０３）。即ち、制御部２１０は各取得データからパス状態を把握する。ここでも、制御部２１０は、第１の実施形態と同様に図４の形式の表を利用して正常性検査の結果を判定する。判定結果が「ＯＫ」の場合（図６：ステップＳ２０４において「ＹＥＳ」と判定）、予備系光ネットワーク１２０の検査は終了となる。
【００３９】
次に、各光パスの正常性検査の判定結果に「ＮＧ」が含まれる場合（ステップＳ２０４において「ＮＯ」と判定）を説明する。
【００４０】
予備系光ネットワーク１２０に障害が発生した場合の例として、ノード１０１とノード１０２間に障害が発生した場合について説明する。この場合、制御部２１０は、新たな経路となる光パスを記憶部２２０から検索する（図６：ステップＳ２０５）。過去に検査した光パスがある場合（図６：ステップＳ２０６において「ＹＥＳ」と判定）、制御部２１０は、過去に検査した光パスの正常性検査に結果に基づいて、最適な経路を新しい予備系ネットワークとして再設定する（図６：ステップＳ２０７）。具体的に言うと、ノード１０１とノード１０４間、ノード１０４とノード１０５間の経路が正常であった場合、障害が発生した経路に代えて新たにノード１０１とノード１０４間、ノード１０４とノード１０５間を予備系ネットワークとして再設定する。
【００４１】
また、過去に検査したデータがない場合（図６：ステップＳ２０６において「ＮＯ」と判定）、新たに経路となる光パスが接続している各ノードに対して検査通知を発行する（図６：ステップＳ２０８）。そして、ステップＳ２０１に戻り、予備系光ネットワーク１２０の新たな光パスが設定されるまで上記の処理を繰り返す。
【００４２】
［４．第３の実施形態］
図８は、本発明の第３の実施形態の光ネットワークシステムに係る検査の方法の一例を示すフローチャートである。また、図９は、図８におけるＳ２００〜Ｓ２０７が実行する具体的な処理を示すチャートである。第３の実施形態に係る光ネットワークシステムの構成は、第１の実施形態と同じである。
【００４３】
第３の実施形態に係る光ネットワークシステムは、光ネットワークシステムを構成する各ノードが複数備える光送受信器４０、及び待機系光送受信器５０の内、それぞれ１台だけ使用する形態である。つまり、第３の実施形態では、各ノードは隣接する２台以上のノードの正常性検査を実行することができない。したがって、光ネットワークシステムを構成する光パスの正常性検査を実行するタイミングが重ならないように、ネットワークトポロジーを考慮することが重要となる。
【００４４】
以下で図２、図８、及び図９を適宜参照して、光ネットワークシステムを構成する各ノードが光送受信器を１台のみ使用する場合の正常性検査の方法について説明する。
【００４５】
先ず、制御部２１０は、各ノードに光パスの正常性検査を実行する指令である検査通知を、ネットワークトポロジーを考慮して送信する（図８：ステップＳ３００）。ネットワークトポロジーを考慮するとは、制御部２１０は、各光パスの正常性検査を実行するタイミングが重ならないように各ノードに対して検査通知を発行することを意味する。具体的に言うと、制御部２１０は、ノード１００とノード１０３間、ノード１０１とノード１０４間、及びノード１０２とノード１０５間の、正常性検査を実行する検査通知を各ノードに発行する。制御部２１０が上記の様に検査通知を発行することによって、各ノードは同時に２本以上の光パスの正常性検査を行うことはない。
【００４６】
各ノードは検査通知を受信すると、隣接するノード間の光パスの正常性検査を実行する（図８：ステップＳ３０１）。第３の実施形態においても、正常性検査の方法は、第１の実施形態と同じであるのでここでは説明を省略する。図９を参照すると、各ノードは独立に正常性検査を実行している。次に、光送受信部４１は、正常性検査の結果を、制御装置２００が備える制御部２１０に送信する（図８：ステップＳ３０２）。制御部２１０は、光パスの正常性検査の結果を受信すると、検査結果を記憶部２２０に格納する（図８：ステップＳ３０３）。ここで、全ての光パスに対して正常性検査が終わった場合（図８：ステップＳ３０４において「ＹＥＳ」と判定）、制御部２１０は測定した正常性検査の結果に基づいて最適な運用系光ネットワークと予備系光ネットワークを設定する（図８：ステップＳ３０５）。全てのリンクに対して正常性検査が終わっていない場合（図８：ステップＳ３０４において「ＮＯ」と判定）、制御部２１０は次の光パスに対して正常性検査をするために、各ノードに検査通知を発行する。次の検査も同様にネットワークトポロジーを考慮した検査通知が発行される。具体的に言えば、例えばノード１０１とノード１０３間、ノード１０２とノード１０４間の、正常性検査を実行する検査通知を各ノードに発行する。このような処理を全ての光パスの正常性検査が終わるまで繰り返す。
【００４７】
［５．第４の実施形態］
図１０は、本発明の第４の実施形態に係る光ネットワークシステムの一例を示すブロック図である。
【００４８】
図１０を参照すると、制御部２１０と記憶部２２０を備える制御装置２００が管理する光ネットワークは、ノード１００〜ノード１０５を含んでいる。制御部３１０と記憶部３２０を備える制御装置３００が管理する光ネットワークは、ノード１０５〜ノード１０８を含んでいる。ここで、ノード１０５は、２つの光ネットワークに共通に含むノードであり、２つの光ネットワークシステムをリンクしている。制御部４１０と記憶部４２０を備える制御装置４００は、制御装置２００と、制御装置３００と、を管理する。
【００４９】
第４の実施形態に係る光ネットワークシステムは、複数の光ネットワークに渡る運用系、及び予備系光ネットワークの管理を行う形態である。図１０は、２つの光ネットワークに渡って設定された運用系、予備系光ネットワークの例であるが、これは、光ネットワークの数を限定するものではない。第４の実施形態に係る光ネットワークシステムは、さらに多くの光ネットワークに渡って設定された運用系、及び予備系光ネットワークに適用することが可能である。
【００５０】
つまり、第４の実施形態に係る発明は、第１〜第３の実施形態で説明したような光ネットワークシステムが複数存在し、光ネットワークシステム間でリンクしている形態である。
【００５１】
図１１は、第４の実施形態の光ネットワークシステムに係る正常性検査の方法の一例を示すフローチャートである。また、図１２は、図１１におけるステップＳ４００〜Ｓ４０９の具体的な処理を示すチャートである。以下で、図１０、図１１、及び図１２を適宜参照して、制御の方法を説明する。また、図１０において、運用系光ネットワーク１３０、予備系光ネットワーク１４０は既に設定されているものとして説明する。また、ステップＳ４００〜ステップＳ４０５までは、ノード１００からノード１０５を含む光ネットワークと、ノード１０５〜ノード１０８を含む光ネットワは独立に同じ処理を行う。したがって、以下では説明の重複を避けるためにノード１００〜ノード１０５を含む光ネットワークについてのみ説明する。
【００５２】
第４の実施形態の光ネットワークシステムの正常性検査では、先ず、光ネットワークシステムを構成する複数の光ネットワーク毎に正常性検査を行う。制御部４１０は、制御部２１０に、ノード１０１からノード１０８までの正常性検査を実行する検査通知を発行する（図１１：ステップＳ４００ａ）。上記の検査通知を受信した制御部２１０は、自信が制御管理するノード１００〜ノード１０５に対して正常性検査の検査通知を送信する（図１１：ステップＳ４０１ａ）。この時、ノード１０５への検査通知は、制御部２１０が制御管理する光ネットワークに含まれるノードだけでなく、制御部３１０が制御管理するノード間との正常性検査の検査通知も含まれる。具体的に言えば、制御部２１０は、ノード１０５に対して、ノード１０５とノード１０２間、ノード１０５とノード１０４間の検査通知に加えて、ノード１０５とノード１０６間、ノード１０５とノード１０６間の検査通知も発行する。この場合、制御部３１０はノード１０５に対して検査通知は発行しない。但し、制御部３１０は、ノード１０６とノード１０７に対して、それぞれノード１０６とノード１０５間、ノード１０７とノード１０５間の検査通知は発行する。
【００５３】
次に各ノードは検査通知を受信すると、各ノードが備えるそれぞれのリンク情報検査部４２が光パスの正常性検査を実行する（図１１：ステップＳ４０２ａ）。第４の実施形態においても、正常性検査の方法は、第１の実施形態と同じであるのでここでは説明を省略する。次に、光送受信部４１は、正常性検査の結果を制御部２１０に送信する（図１１：ステップＳ４０３ａ）。制御部２１０は、受信した正常性検査の検査結果を記憶部２２０に格納する（図１１：ステップＳ４０４ａ）。ここでも、制御部２１０は、記憶部２２０に図４に示した形式で正常性検査の結果を格納する。さらに、制御部２１０は、正常性検査の検査結果を、制御装置２００と、制御装置３００と、を制御管理する制御装置４００が備える制御部４１０に送信する（図１１：ステップＳ４０５ａ）。上記と同様の処理を、制御部３１０は、ノード１０６〜ノード１０８に対して実行する。図１２を参照すると、ノード１００〜ノード１０８は、各ノードは独立して正常性検査を実行している。
【００５４】
制御部４１０は、制御部２１０、及び制御部３１０から受信した正常性検査の検査結果を記憶部４２０に格納する（図１１：ステップＳ４０６）。さらに、制御部４１０は、制御部２１０と制御部３１０から受信した正常性検査の検査結果に基づき光ネットワークシステム全体の光パスの正常性を判定する（図１１：ステップＳ４０７）。
【００５５】
ネットワークシステム全体の光パスの正常性が「ＯＫ」だった場合（図１１：ステップＳ４０８で「ＹＥＳ」と判定）、制御部４１０は、運用系光ネットワーク１３０の運用を開始し、予備系光ネットワーク１４０をリソース予約する（図１１：ステップＳ４０９）。
【００５６】
また、ネットワークシステム全体の光パスのリンク情報が、「ＮＧ」と判定された場合（図１１：ステップＳ４０８で「ＮＯ」と判定）、制御部４１０は、記憶部４２０に格納されている検査結果に基づいて、運用系、予備系光ネットワークの再設定を行う（図１１：ステップＳ４１０）。制御部４１０は、運用系、予備系光ネットワークの再設定後、運用系光ネットワークの運用を開始し、予備系光ネットワークのリソース予約する（図１１：ステップＳ４１１）。
以上のように、運用系光ネットワーク、及び予備系光ネットワークが複数の光ネットワークに渡って設定されている場合であっても、隣接するノード間の正常性検査の結果に基づいて、光ネットワーク全体の正常性を判定することが可能である。
【００５７】
［６．光クロスコネクト装置］
上記では、光送受信器や光ネットワークの可用性を高めるための形態について説明した。さらに、光クロスコネクト装置に対しても動作確認を行うことで、光パスのリンク情報の正常性検査の信頼性が向上する。ここでは、光クロスコネクト装置の検査方法について説明する。
【００５８】
本発明に係るノードが備える光クロスコネクト装置は、受信した信号の経路であるＤｒｏｐルートと、送信する信号の経路であるＡｄｄルートとが、光クロスコネクト装置の内部で重複する接続構成をとっている。
【００５９】
ここでも、再び図２を参照し具体的に説明する。図２を参照すると、運用系光ネットワーク１１０は、ノード１００、ノード１０３、ノード１０４、ノード１０５で構成されている。また、各ノード１００〜１０５は図１に示された構成を備えている。この場合、例えば、ノード１０３の光クロスコネクト装置２０では、ノード１００から受信したＤｒｏｐルートを通過する経路と、ノード１０４へ送信するＡｄｄルートを通過する経路とが内部で重複している。本発明は、このような光クロスコネクト装置のクロスコネクト機能も検査できる。例えば、図２に示されたノード１００、１０３、１０４、及び１０５のパスにおいて、ノード１００からのＤｒｏｐルートとノード１０４へのＡｄｄルートをノード１０５の光クロスコネクト装置内部でオーバーラップさせる。これによって、光クロスコネクト装置の機能も、リンク情報検査部４２で正常性検査を実行することが可能となる。また、上記した説明は、マトリクス光スイッチを含むクロスコネクト装置を備えたノードについて述べたが、波長選択スイッチ、合波／分波器などの光コンポーネントを使用したノードにも、本発明は適用できる。
【００６０】
以下で、本実施形態の態様について付記しておく。
【００６１】
本発明の光ネットワークシステムは、複数のノードと、該複数のノードの制御管理を行う制御装置を有し、上記制御装置は、上記複数のノードに対し光パスの正常性検査を実行させる指令である検査通知を発行する制御部と、上記正常性検査の結果を記憶する記憶部と、を備え、上記各ノードは、光パスの正常性検査を互いに独立して実行するリンク情報検査部を有する複数の光送受信器を含む。
【００６２】
本発明の光ネットワークシステムにおいて、上記複数のノードは、送信側ノード及び受信側ノードを含み、上記送信側ノード及び上記受信側ノードとの間に光パスの経路が設定される場合、上記制御装置の上記記憶部は、光パスによって結合された互いに隣接した上記ノード間における上記正常性の検査結果を記憶していることが好ましい。
【００６３】
本発明の光ネットワークシステムにおいて、上記制御装置の上記制御部は、上記隣接した上記ノード間における上記正常性の検査結果に基づいて、上記複数のノード間に設定された上記光パスの全体の経路の正常性を判定することが好ましい。
【００６４】
上記制御装置の上記制御部は、上記隣接した上記ノード間における上記正常性検査の検査結果に基づいて、少なくとも１つの予備系光ネットワークを設定することが好ましい。
【００６５】
本発明の光ネットワークシステムにおいて、上記制御装置の上記制御部は、上記複数のノード間に設定された光パスのネットワークトポロジーを判定することが好ましい。
【００６６】
本発明の光ネットワークシステムにおいて、上記制御装置の上記制御部は、他の上記制御装置が備える上記制御部に対して、上記検査通知を発行させる指令を発行する機能を有することが好ましい。
【００６７】
本発明に光ネットワークシステムにおいて、上記各ノードの上記リンク情報検査部は、上記互いに光パスによって結合された互いに隣接した上記ノード間における光パワーレベル、送受信フレーム数、及び送受信パケット情報を含むパラメータを測定することが好ましい。
【００６８】
本発明のノードは、光パスに対応して設けられた複数の光送受信器を備え、
上記各光送受信器は、上記光パスの正常性検査を独立して実行するリンク情報検査部を有している。
【００６９】
本発明のノードにおいて、更に、上記複数の光送受信器に対する光パスのＤｒｏｐルート及びＡｄｄルートを収容した光クロスコネクト装置を有し、上記各光送受信器の上記リンク情報検査部は、上記光クロスコネクト装置を介して、上記光パスの正常性検査を行なうことが好ましい。
【００７０】
本発明の制御装置は、光パスによって接続された複数のノードを備えた光ネットワークを制御する制御装置であって、上記複数のノードに対し光パスの正常性検査を実行させる指令である検査通知を上記各ノードに発行するコントローラ部と、
上記正常性検査の結果を上記光パス毎に記憶する記憶部と、を有する。
【００７１】
本発明のリンクの正常性検査方法は、複数の光パスによって構成される光ネットワークに用いられ、各光パス両端のノードに、光パスの正常性検査を実行させる指令を通知し、
上記各ノードにおいて、上記光パスの正常性検査を独立して実行するリンク情報検査する。
【００７２】
以上、実施形態を参照して本発明を説明したが、本発明は上記実施形態に限定されない。本発明の構成や詳細には、本発明のスコープないで当事者が理解し得る様々な変更をすることができる。
【符号の説明】
【００７３】
１０          ノード
２０          光クロスコネクト装置
２１          受信信号
２２          送信信号
３０          光送受信装置
４０          光送受信器
４１          光送受信部
４２          リンク情報検査部
５０          待機系光受信器
５１          待機系光送受信部
５２          待機系リンク情報検査部
１００        ノード
１０１        ノード
１０２        ノード
１０３        ノード
１０４        ノード
１０５        ノード
１０６        ノード
１０７        ノード
１０８        ノード
１１０          運用系光ネットワーク
１２０          予備系光ネットワーク
１３０          運用系光ネットワーク
１４０          予備系光ネットワーク
２００          制御装置
２１０          制御部
２２０          記憶部
３００          制御装置
３１０          制御部
３２０          記憶部
４００          制御装置
４１０          制御部
４２０          記憶部
【図１】
2015050624.tif 000003
【図２】
2015050624.tif 000004
【図３】
2015050624.tif 000005
【図４】
2015050624.tif 000006
【図５】
2015050624.tif 000007
【図６】
2015050624.tif 000008
【図７】
2015050624.tif 000009
【図８】
2015050624.tif 000010
【図９】
2015050624.tif 000011
【図１０】
2015050624.tif 000012
【図１１】
2015050624.tif 000013
【図１２】
2015050624.tif 000014